(57)【特許請求の範囲】
【請求項１】
ファン、ファン駆動用のモータ、前記ファンによる送風が吸引される吸引口、および送風により化学物質が放出される出口とを有する本体部と、
該本体部にスライド自在に装着され、直線的なスライドをすることによって前記ファンの吸引口を開閉すると共に前記ファンのモータをオン／オフする作用部を備えたカバーと、
を有し、
前記カバーの作用部は、前記カバーが前記吸引口及び前記出口を開き始めた位置から全開させる位置まで移動する間、前記ファンをオン状態に保持し、
さらに、前記カバーはスライドすることによって、前記吸引口及び前記出口の開口量の双方を同時に調整することを特徴とする携帯用拡散器。
【請求項２】
前記本体部が、対向する平行な直線部を有し、前記モータと電気回路とを含む電装品と電池の収容部とを備えた扁平な筐体と、該筐体の前記直線部に沿って両側に立設された凸壁部と、前記筐体の一方端に設けられ、空気取り入れ用の吸引口と空気吹き出し用の吐出口とを有するファンと、前記筐体の直線部の両側に形成されたガイド部材と、前記筐体に設けられた前記モータのスイッチと、前記本体部に着脱自在に設けられ、ファンの送風を受け入れる入口と、前記化学物質を収容する空間とを備えた収納ケース、を有し、
前記出口は、前記カバーにより開閉されるように前記収納ケースに設けられ、
前記カバーが、前記本体部と重なり合う形状で、前記筐体のガイド部材にガイドされる係合部材と、前記ファンの吸引口に対応した開口とを備え、前記凸壁部との間に収容空間を形成し、
前記カバーの係合部材が前記筐体のガイド部材にガイドされて前記カバーが前記本体部に重なり合った閉止位置から、本体部からずれた開放位置まで移動可能であり、該移動により前記カバーに形成されたファンの開口が前記ファンの吸引口を開き始めた位置から全開させる位置まで移動し、同時に、前記カバーが前記収納ケースの前記出口を開き始めた位置から全開させる位置まで移動し、その間前記作用部が、前記モータのスイッチをオン状態に保持することを特徴とする請求項１に記載の携帯用拡散器。
【請求項３】
前記ファンが、前記凸壁部に連続して前記筐体の一方端に形成されたケーシング部と、前記筐体の該ケーシング部内に突出する前記モータの回転軸と、該回転軸に固定されたファンの回転翼と、前記ケーシング部に形成された座面に載置され、前記ファンの回転翼を覆って前記本体部との間にファンを構成するとともにファンが送風する空気を吸引するための吸引口を備えた仕切板とを有することを特徴とする請求項２に記載の携帯用拡散器。
【請求項４】
前記カバーの開口がカバーのスライド方向に沿って複数に分割され、前記仕切板の吸引口もカバーのスライド方向に沿って複数に分割されていることを特徴とする請求項２又は３に記載の携帯用拡散器。
【請求項５】
前記カバーの開口が円弧状に配置され、前記仕切板の吸引口も円弧状に配置されていることを特徴とする請求項２から４のいずれかに記載の携帯用拡散器。
【請求項６】
前記本体部のガイド部材が凹状の溝で、前記カバーの係合部が凸状のリブであることを特徴とする請求項２から５のいずれかに記載の携帯用拡散器。
【請求項７】
前記スイッチが、前記凹状の溝内に突出し、前記作用部が凸状のリブの高さによりオン、オフされることを特徴とする請求項６に記載の携帯用拡散器。
【請求項８】
前記カバーが全開位置に達したのを知らせるクリック機構を有することを特徴とする請求項１から７のいずれかに記載の携帯用拡散器。
【請求項９】
前記クリック機構が、前記本体部の前記凹状の溝内における前記スイッチの近傍に形成された突起と、前記凸状のリブに形成された突起とからなることを特徴とする請求項８に記載の携帯用拡散器。
【発明の詳細な説明】
【技術分野】
【０００１】
本発明は、芳香剤、消臭剤や殺虫剤などの化学物質を拡散する拡散器に関し、特に、携帯用の拡散器に関する。
【背景技術】
【０００２】
携帯できる芳香器などの化学物質の拡散器としては、小型の容器内に、芳香剤等と共に、モータやファンを備えており、スイッチのオン／オフにより芳香を拡散できるようにしたものが種々提案されている。
【０００３】
特許文献１では、モータとファンを備えた容器の入り口に芳香剤の入った蓋体を回動可能に設け、蓋体の回動によって、開閉するとともに、モータのスイッチをオン、オフする構成としている。蓋体が回動してスイッチオンになり、ファンが回転すると、ファンの風が蓋体内の芳香剤を吐出空気内に混合させて、芳香を室内に放出するようになっている。
【０００４】
特許文献２では、２枚貝のように一端で蝶番結合している容器内に、モータやファンを収容し、ファンの前に芳香剤のカートリッジをセットした構造になっている。容器を開くと絶縁体が電気接点間から抜け出て電気接点が接触してオンとなりファンが回転し、ファンの風が芳香剤のカートリッジを通過することで、芳香を放出する。
【０００５】
特許文献３では、芳香剤や電動ファンを収納する箱状のケース本体と、このケース本体の吸引口部を開閉するように、ケース本体にスライド自在に設けられたスライド部材とを備えた構成になっている。スイッチはケース本体にあり、スイッチを手で操作してオンにし、スライド部材を引き出して開放位置にすると、芳香を放出できる。
【０００６】
特許文献４では、芳香剤の入った詰め替えユニットが装着されていない場合は、スイッチがオンにならず、詰め替えユニットが装着されている場合にのみスイッチがオンになる装着型化学物質放出器が記載されている。
【先行技術文献】
【特許文献】
【０００７】
【特許文献１】実開平２−６０４９号
【特許文献２】実開昭６２−１５２７４０号
【特許文献３】特開２００３−３１０７３６号
【特許文献４】特表２０１０−５３２１７０号
【発明の概要】
【発明が解決しようとする課題】
【０００８】
前述した拡散器は、いずれもスイッチのオン／オフにより、化学物質が拡散されるか、されないかの２者択一であり、スイッチがオンになったときの風量は一定である。
【０００９】
しかしながら、使用者からは、使用状況により芳香を強くしたり、弱くしたり調整できる機能の要請がある。そのためには、風量を調整する必要があるが、従来の拡散器では、対応することができない、という問題がある。
【００１０】
本発明は、この問題の解決を図ったもので、風量の調節が可能な携帯用拡散器を提供することを目的としている。
【課題を解決するための手段】
【００１１】
上記の目的を達成するために本発明の携帯用拡散器は、ファンとファン駆動用のモータと、前記ファンによる送風が吸引される吸引口、および送風により化学物質が放出される出口を有する本体部と、該本体部にスライド自在に装着され、直線的なスライドをすることによって前記ファンの吸引口を開閉すると共に前記ファンのモータをオン／オフする作用部を備えたカバーと、を有し、前記カバーがスライドしたとき、前記ファンの吸引口を開閉すると共に、前記収納ケースの出口を開閉し、前記カバーが前記吸引口と前記出口を開き始めた位置から全開させる位置まで移動する間、前記カバーの作用部が前記ファンをオン状態に保持することを特徴としている。
【００１２】
前記本体部が、対向する平行な直線部を有し、前記モータと電気回路とを含む電装品と電池の収容部とを備えた扁平な筐体と、該筐体の前記直線部に沿って両側に立設された凸壁部と、前記筐体の一方端に設けられ、空気取り入れ用の吸引口と空気吹き出し用の吐出口とを有するファンと、前記筐体の直線部の両側に形成されたガイド部材と、前記筐体に設けられた前記モータのスイッチと、前記本体部に着脱自在に設けられ、ファンの送風を受け入れる入口と、前記化学物質を収容する空間とを備えた収納ケース、を有し、前記出口は、前記カバーにより開閉されるように前記収納ケースに設けられ、前記カバーが、前記本体部と重なり合う形状で、前記筐体のガイド部材にガイドされる係合部材と、前記ファンの吸引口に対応した開口とを備え、前記凸壁部との間に収容空間を形成し、前記カバーの係合部材が前記筐体のガイド部材にガイドされて前記カバーが前記本体部に重なり合った閉止位置から、本体部からずれた開放位置まで移動可能であり、該移動により前記カバーに形成されたファンの開口が前記ファンの吸引口を開き始めた位置から全開させる位置まで移動し、同時に、前記カバーが前記収納ケースの前記出口を開き始めた位置から全開させる位置まで移動し、その間前記作用部が、前記モータのスイッチをオン状態に保持する構成とすることが望ましい。
【００１３】
前記ファンが、前記凸壁部に連続して前記筐体の一方端に形成されたケーシング部と、前記筐体の該ケーシング部内に突出する前記モータの回転軸と、該回転軸に固定されたファンの回転翼と、前記ケーシング部に形成された座面に載置され、前記ファンの回転翼を覆って前記本体部との間にファンを構成するとともにファンが送風する空気を吸引するための吸引口を備えた仕切板とを有する構成としたり、前記カバーの開口がカバーのスライド方向に沿って複数に分割され、前記仕切板の吸引口もカバーのスライド方向に沿って複数に分割されている構成としたり、前記カバーの開口が円弧状に配置され、前記仕切板の吸引口も円弧状に配置されている構成としたり、前記仕切板の複数の吸引口の円弧上における中心角が、前記回転翼の回転方向の上流側で小さく、下流側ほど大きい構成としたり、前記本体部のガイド部材が凹状の溝で、前記カバーの係合部が凸状のリブである構成としたり、前記スイッチが、前記凹状の溝内に突出し、前記作用部が凸状のリブの高さによりオン、オフされる構成としたり、前記カバーが全開位置に達したのを知らせるクリック機構を有する構成としたり、前記クリック機構が、前記本体部の前記凹状の溝内における前記スイッチの近傍に形成された突起と、前記凸状のリブに形成された突起とからなる構成とすることができる。
【発明の効果】
【００１４】
本発明の携帯用拡散器によれば、カバーを本体部に対して直線的にスライドさせることで、拡散器のファンをオン／オフできるだけでなく、カバーのスライド量に応じて、ファンの吸引量と拡散器の風量の双方を同時に調整することができるという優れた効果を奏する。
【００１５】
また、カバーを直線的にスライドさせるので、片手で操作することができ、オン／オフ操作だけでなく風量の調整の操作も容易にできるという効果を奏する。
【図面の簡単な説明】
【００１６】
【図１】本発明の携帯用拡散器の分解斜視図である。
【図２】本体部の図で、（ａ）は上面図、（ｂ）は側面図、（ｃ）は下面図である。
【図３】カバーの図で、（ａ）は上面図、（ｂ）は側面図、（ｃ）は裏面図、（ｄ）は（ａ）のＩ−Ｉ断面図である。
【図４】仕切板の上面図である。
【図５】収納ケースの図で、（ａ）はケースを閉じた状態の斜視図、（ｂ）はケースを開いた状態の斜視図である。
【図６】本発明の携帯用拡散器の斜視図で、（ａ）は組立完了状態（全閉状態）、（ｂ）、（ｃ）は使用状態を示し、（ｂ）は半開状態、（ｃ）は全開状態を示す。
【図７】（ａ）から（ｄ）は、係合部材に形成された作用部と、スイッチ及び突起の関係を示す概念図である。
【図８】カバーの開口と、仕切板の吸引口との作用を説明する図で、（ａ）は開口と吸引口がそれぞれ１個ずつの場合、（ｂ）は開口と吸引口がそれぞれ２個ずつの場合である。
【図９】本発明の開口と吸引口の全閉から全開における位置関係を示す図で、（ａ）は、全閉状態、（ｂ）は、半開状態、（ｃ）は、全開状態を示す。
【発明を実施するための形態】
【００１７】
以下、本発明の実施の形態を、添付図面を参照して説明する。
図１は、本発明の携帯用拡散器の分解斜視図である。同図に示すように本発明の携帯用拡散器１００は、本体部１０と、カバー２０と、仕切板３０及び収納ケース４０とから構成されている。
【００１８】
〔本体部〕
図２は本体部１０の図で、（ａ）は上面図、（ｂ）は側面図、（ｃ）は下面図である。図１も参照して説明すると、本体部１０は図２（ａ）の左右方向に相互に平行な直線部を含む長辺があり、図２（ａ）の上下方向が短辺となる丸みを帯びた平行四辺形をしている。図２（ｂ）に示すように、本体部１０の下部は扁平な筐体１１で、内部には図示しないが電気回路やモータが収容されている。また、（ｃ）の下面図に示すように、底面には電池の収容部を開閉する蓋１１ａが設けられ、ここを開いて電池を交換することができる。
【００１９】
本体部１０の長辺の両側には、筐体１１の内側に凸壁１２、１２があり、本体部１０の短辺の一方側には、ファンのケーシング１３が形成されている。このケーシング１３の長辺と平行な部分は、凸壁１２、１２と一体になっており、同じ高さで連続している。ケーシング１３の短辺と平行な部分は、凸壁１２と同じ高さで、曲線を描いており、ケーシング１３の内側は、ファンの回転翼１４を囲むように円形となっている。また、ケーシング１３の円形の外側には、仕切板３０を載置する平らな座面１３ａが形成されている。
【００２０】
筐体１１内に設けられたモータの回転軸１４ａは、筐体１１の上平面１５に垂直に突出しており、この回転軸１４ａにファンの回転翼１４が固定されている。このように上平面１５を境界にして筐体１１内にモータ、電気回路等の電装品を収容することにより、電装品が化学物質の影響を受けないようにしている。
【００２１】
筐体１１の長辺の両外側には、溝状のガイド部材１６が形成されている。このガイド部材１６は、ケーシング１３側では本体部１０の端部まで形成され、反対側は凸壁１２の終端までとなっている。
【００２２】
図２（ｂ）に示すように、このガイド部材１６の溝内には、モータのスイッチ１７が突出しており、スイッチ１７の図の左側には、突起１８が同じく溝内に突出している。スイッチ１７は、本体部１０の片側のみであるが、突起１８は本体部１０の反対側のガイド部材１６内にも形成されている。また、ケーシング１３の角部にも、別の突起１９が設けられている。これらの突起１８、１９はクリック機構の一部であるが、詳細については後述する。
【００２３】
〔カバー〕
図３はカバー２０の図で、（ａ）は上面図、（ｂ）は側面図、（ｃ）は裏面図、（ｄ）は（ａ）のＩ−Ｉ断面図である。カバー２０の上面２１は、本体部１０と重なり合うように本体部１０と同じ大きさと形状とを備えている。この上面２１は、（ｂ）、（ｄ）に示すように、中央が高くなるように若干の湾曲が付与されている。また、上面２１の一方側には、７個の開口２５が円弧状に配列されている。これらの開口２５は、上面２１側がすり鉢状に拡大された皿状の孔である。
【００２４】
上面２１の両側と、短辺には連続した立壁２２がある。長辺に直線的に形成された立壁２２には、先端に立壁２２から直角に係合部材２３が形成され、係合部材には、作用部２４が形成されている。カバー２０の上面２１の裏面は、ほぼ中央で、上面２１と同じに湾曲した面２１ａと、平面２１ｂとに分けられている。平面２１ｂの奥には突起２６がある。
【００２５】
〔仕切板〕
図４は、仕切板３０の上面図である。仕切板３０は平板状で、図２（ａ）に示す座面１３ａ上に載置されるもので、ファンの回転翼１４の上を覆ってファンの一部を構成する。仕切板３０には、２つの丸い吸引口３１、３２と２つの円弧状の長孔である吸引口３３、３４とがある。これらの吸引口３１〜３４は、カバー２０に形成された７つの開口２５と重なり合うことができるように穿設されている。
【００２６】
また、カバー２０の開口２５の数は７個であるのに対し、仕切板３０の吸引口３１〜３４は４個であるが、これは、各開口と吸引口とを時計回り方向に見て、吸引口３１、３２が開口２５の最初の２個（第１、２番目）の孔に対応し、吸引口３３が次の２個（第３、４番目）の開口２５に対応し、吸引口３４が残りの３個（第５、６、７番目）の開口２５に対応するようにしているためである。
【００２７】
このように吸引口３１〜３４を４個にした理由は次のとおりである。ファンの回転翼１４は、図２（ａ）において時計方向に回転し、回転により風切り音が発生するが、図４に示すように、吸引口３１〜３４の長さを中心角でθ１からθ４で表すと、吸引口３１〜３４では、θ１≦θ２＜θ３＜θ４と、回転方向の下流側ほど中心角を大きくすると、風切り音を小さくすることができるからである。θ１とθ２については、共に小さい角度であるから、θ１＝θ２の場合も含めている。
【００２８】
〔収納ケース〕
図５は、収納ケース４０の図で、（ａ）はケースを閉じた状態の斜視図、（ｂ）はケースを開いた状態の斜視図である。
【００２９】
収納ケース４０は、本体４１と蓋体４２とを蝶番４３で結合した構成になっている。本体４１、蓋体４２はともに、蝶番４３を除く３方を壁で囲まれ、蓋体４２は、さらに左右両側に膨出部が形成されている。この形状は、本体部１０に形成された収容空間に過不足なく収容するために決められたものである。この両側の膨出部には、凹凸部４４が形成されているが、これによって収納ケース４０を掴み易くし、着脱を容易にすることができる。また、収納ケース４０の形状は非対称形状なので、装着方向を間違えないようになっている。
【００３０】
収納ケース４０の内部は空間であり、ここに芳香剤などの化学物質の入った袋４５が入れられ、閉じられて図５（ａ）に示す状態になる。図５（ａ）に示すように、閉じられた収納ケース４０の一端には、側面に空気の入口４６があり、他端の上面には空気の出口４７として４個の孔がある。
【００３１】
図１の分解斜視図から理解されるように、収納ケース４０は、本体部１０の上平面１５と、両長辺の凸壁１２、１２と、カバー２０とで画定される空間内に過不足ない状態で収容される。したがって、本体部１０にカバー２０と仕切板３０及び収納ケース４０を取り付けた完成状態では、本体部１０の外側には殆ど突出したり、凹んだりするものがない状態になる。このとき、カバー２０の裏面に湾曲した面２１ａがあるので、収納ケース４０の容量を大きくすることができる。
【００３２】
また、収納ケース４０は使い捨てにすることも可能であり、内部に収納する芳香剤を変えることで、異なる香りを楽しむこともできる。また、芳香剤に代えて消臭剤や殺虫剤を入れて消臭効果を得たり、殺虫効果を得たりすることも可能である。
【００３３】
〔組立〕
図６は、本発明の携帯用拡散器の斜視図で、（ａ）は組立完了状態（全閉状態）、（ｂ）、（ｃ）は使用状態を示し、（ｂ）は半開状態、（ｃ）は全開状態を示す。
【００３４】
本発明の携帯用拡散器１００を組み立てる場合、まず、本体部１０の座面１３ａに仕切板３０を載置する。この場合、接着剤等で仕切板３０を座面１３ａに固定してもよいが、単に載置しただけで、取外し可能な状態でもよい。これによって、筐体の上平面１５と仕切板３０で両側を挟まれ、ケーシング１３で周囲を画定されたファンが形成される。ファンの空気取り入れ口は吸引口３１〜３４であり、吐出口は、回転翼１４の側方の凸壁１２、１２間となる。
【００３５】
本発明の実施例では、ファンを各部材に分け、筐体１１の一部、回転翼１４、ケーシング１３及び仕切板３０等で構成し、筐体１１内のモータで駆動する構成にしたが、この構成に限定されるものではなく、ファンを一体のものとして筐体１１に取り付ける構成としてもよい。
【００３６】
次に、収納ケース４０を所定の位置に載置する。形状が非対称形状なので、逆向きに載置することができず、自動的に正しく設置されるようになっている。
【００３７】
次に、カバー２０をはめる。このとき、カバー２０の立壁２２の先端に形成された両側の係合部材２３の先端を、本体部１０のガイド部材１６の溝の端部から入れて、ガイドすることで、本体部１０に対して正しい位置にカバー２０を取り付けることができる。カバー２０の裏面の平面２１ｂが仕切板３０のガタつきを防止するために、軽く押さえることになる。カバー２０は本体部１０に着脱自在である。以上で組立が完了する。
【００３８】
なお、上記の例では、カバー２０の取り付けの前に収納ケース４０を取り付けているが、カバー２０の取り付け後に収納ケース４０を着脱してもよい。
【００３９】
組立が完了した状態では、収納ケース４０の空気の出口４７はカバー２０で閉鎖され、ほぼ密封された状態となって、収納ケース４０内の芳香剤などの化学物質の臭いが漏れ出ない。また、収納ケース４０は、ファンの下流側に配置されるので、収納ケース４０内の化学物質の臭いが本体部１０に移ることを防止できる。
【００４０】
〔作用〕
図７は、係合部材２３に形成された作用部２４と、スイッチ１７及び突起１８の関係を示す概念図である。図６（ａ）に示す状態から、カバー２０を図７の矢印の方向に移動するとして説明する。
【００４１】
図７（ａ）に示す状態では、本発明の携帯用拡散器１００は、図６（ａ）に示す状態であり、モータは停止している。
【００４２】
係合部材２３の作用部２４には、図７の右側から、凹部２４ａ、突起２４ｂ、大凹部２４ｃ、突起２４ｄ、凹部２４ｅが形成されている。このうち、突起２４ｂと２４ｄとは同じ大きさで、凹部２４ａと凹部２４ｅも同じ大きさである。また、突起２４ｂ、２４ｄと係合部材２３の高さも同じになっている。スイッチ１７はバネにより図の下方に向けて付勢されており、図の上下方向に進退自在で、（ａ）に示す伸びた状態ではモータがオフとなり、（ｂ）に示す縮んだ状態ではモータがオンになる。
【００４３】
図７（ａ）に示す状態では、スイッチ１７は大凹部２４ｃ内の右端にあり、モータはオフである。一方、突起１８は先端が少しだけ凹部２４ｅに入っていて、係合部材２３の左右の移動を軽く阻止している。
【００４４】
図７（ａ）の状態からカバー２０がスライドすると、カバー２０が開き始める。係合部材２３は矢印方向に移動して、突起２４ｄが突起１８を乗り越えて、図７（ｂ）の状態になる。すると、スイッチ１７は他方の突起２４ｂ上に乗り、押し込まれてモータをオンの状態にする。このとき突起２４ｄが突起１８を乗り越えるので、使用者にはクリックを感じることができ、モータがオンになったことを明瞭に感じ取ることができる。
なお、スイッチ１７は凹部２４ａと凹部２４ｅよりも幅が広いので、凹部２４ａ、２４ｅには落ち込むことがない。
【００４５】
係合部材２３がスライドを続け、図７（ｂ）の状態から図７（ｃ）の状態まで、突起１８は大凹部２４ｃ内にある。この間、スイッチ１７は凹部２４ａを通過して係合部材２３と接触し続けるが、突起１８の移動を阻止するものも何もないので、カバー２０は軽く矢印の方向と反対方向の双方にスライドすることができる。この間は、図６（ｂ）に示すように、カバー２０が収納ケース４０の出口４７の一部を覆った状態となり、吸引する空気量と吐出する風量の調整を行うことができる。
【００４６】
図７（ｃ）の状態から、係合部材２３がさらに矢印方向にスライドをすると、図７（ｄ）に示すように、突起２４ｂが突起１８を乗り越え、使用者はクリックを感じ取る。このとき、図６（ｃ）に示すように、カバー２０が収納ケース４０の出口４７を全開にする。
【００４７】
係合部材２３が矢印と逆方向に移動し、図７（ａ）の状態に戻ったときは、突起２４ｄが突起１８を乗り越えるので、やはり、使用者はクリックを感じることができ、出口４７の全閉とモータの停止を明瞭に感じ取ることができる。
【００４８】
このように、作用部２４と突起１８の作用により、使用者は送風の開始位置と全開位置とをクリックによって知ることができるので、その中間位置にカバー２０をスライドすることによって、所望の風量を得ることができる。本発明の拡散器１００では、拡散器１００が吹き出す風量のみを増減するのではなく、拡散器１００が吸引する空気量も同時に増減しているのが特徴である。
【００４９】
なお、全開位置に達したとき、本体部１０のケーシング１３に形成された突起１９が、カバー２０に形成された突起２６を乗り越えることでも、クリック感が生じるようになっており、全開位置を２つのクリックで強調している。
カバー２０が吸引口３１〜３４と出口４７とを共に開き始めた位置から全開させる位置まで移動する間のストロークにおいて、カバーの作用部２４がファンをオン状態に保持している。
【００５０】
本発明の拡散器では、スイッチ１７がガイド部材１６の溝内にあるので、使用者は、カバー２０をスライドするだけでオン／オフの操作をワンタッチで行うことができる。また、スイッチ１７をオン／オフする作用部２４が、カバー２０のスライド部分である係合部材２３により構成されているので、スイッチを作用するための特別な部品を配することなく、スライドによりオン／オフする構成を単純化できる。
【００５１】
図８、図９は、カバー２０の開口２５と、仕切板３０の吸引口３１〜３４との作用を説明する図である。これらの図では便宜的に、開口２５を実線で表し、吸引口３１〜３４を仮想線で表した。本発明では、カバー２０の開口２５がカバー２０のスライド方向に複数に分割され、仕切板３０の吸引口３１〜３４もカバー２０のスライド方向に複数に分割されているが、その理由について以下に説明する。
【００５２】
図８（ａ）は、開口２５と吸引口３１がそれぞれ１個ずつの場合である。この場合は、所望の風量を確保するため開口２５と吸引口３１の双方を大きくしなければならない。開口２５と吸引口３１を大きくしたため、全閉状態から全開状態までに必要なスライド量はＬ１となる。
【００５３】
図８（ｂ）は、開口２５と吸引口３１がそれぞれ２個ずつの場合である。この場合は、開口２５と吸引口３１の大きさは、１個ずつの場合の１／２でよいので、スライド量は小さくなる。すなわち、開口２５と吸引口３１を交互に配置しているので、全閉状態から全開状態までに必要なスライド量はＬ２であり、明らかにＬ１＞Ｌ２となる。
【００５４】
すなわち、カバー２０の開口２５がスライド方向に複数に分割され、仕切板３０の吸引口３１〜３４もカバー２０のスライド方向に複数に分割されていると、全閉から全開までのストローク量を小さくすることができる。本発明のようなカバー２０が直線的にスライドする拡散器においては、ストローク量を小さくすることで、芳香材等の化学物質拡散時、即ち、吸引孔３１や開口２５が全開付近の場合でも、カバー２０が本体部１０から張り出した長さ部分を小さくできるので、拡散機全体の大きさを抑制することができる。よって、片手での操作が容易にすることができるので、携帯性に優れる。
【００５５】
図９は、本発明の開口２５と吸引口３１〜３４の全閉から全開における位置関係を示す図である。開口２５を実線で示し、吸引口３１〜３４を仮想線で示している。開口２５も吸引口３１〜３４も円弧状に配置されているが、これは同時にスライド方向に分割配置されていることになる。
【００５６】
図９（ａ）は、全閉状態を示す。開口２５のすべてが吸引口３１〜３４と重なっていない状態である。これは、図６（ａ）、図７（ａ）に対応している。
【００５７】
図９（ｂ）は、半開状態を示す。開口２５の一部が吸引口３１〜３４と重なっている状態である。これは図６（ｂ）、図７（ｂ）、（ｃ）に対応している。
【００５８】
図９（ｃ）は、全開状態を示す。開口２５のすべてが吸引口３１〜３４と重なっている状態である。これは図６（ｃ）、図７（ｄ）に対応している。
【００５９】
本発明の携帯用拡散器は、全体として平行四辺形となっており、収納ケース４０の空気の出口４７が、長辺に対して傾斜しているので、出口４７の孔の数を多くすることができ、出口４７の面積を大きくして大風量を得ることができる。
【００６０】
また、本発明の携帯用拡散器は小型軽量化が容易であり、ストラップホルダーを設け、ぶら下げて使用することも可能である。また、全体形状として角部を丸くしており、ポケットに入れた場合でも、引っかからないようにできる。
【符号の説明】
【００６１】
１００  携帯用拡散器
１０    本体部
１１    筐体
１２    凸壁部
１３    ケーシング部
１３ａ  座面
１４    ファンの回転翼
１４ａ  モータの回転軸
１６    ガイド部材
１７    モータのスイッチ
２０    カバー
２２    凸壁部
２３    係合部材
２５    開口
３０    仕切板
３１〜３４  吸引口
４０    収納ケース
４６    入口
４７    出口
【図１】
0005997888.tif 000002
【図２】
0005997888.tif 000003
【図３】
0005997888.tif 000004
【図４】
0005997888.tif 000005
【図５】
0005997888.tif 000006
【図６】
0005997888.tif 000007
【図７】
0005997888.tif 000008
【図８】
0005997888.tif 000009
【図９】
0005997888.tif 000010